(57)【要約】      （修正有）【課題】スプリット式弾性片群を配置した制水弁芯を提供する。【解決手段】弁箱１０と、固定弁片２０と、可動弁片３０と、従動台座４０と、揺動シャフト５０と、連動台座６０とを備え、揺動シャフトは、横軸５１を介して連動台座に枢設され、揺動シャフトの連動端５３は、従動台座４０と連動するために用いられ、揺動シャフトは、横軸を支点として揺動経路を有し、その特長は、スプリット式弾性片群７０をさらに備え、前記スプリット式弾性片群は、上弾性片７１が揺動シャフトの構造上に組み付けられ、下弾性片７２が連動台座の構造上に組み付けられることで、上、下弾性片を上下に対応して合致関係をなすようにし、かつ上弾性片には上アーチ形部７３が形成され、下弾性片には下アーチ形部７４が合致形成され、前記上アーチ形部は、その弧形変位経路において下アーチ形部と所定の干渉値を有する弾性乗り越え動作が生じる点である。【選択図】図１
0003234343.tif 000002
【実用新案登録請求の範囲】
【請求項１】
弁箱と、固定弁片と、可動弁片と、従動台座と、揺動シャフトと、連動台座と、スプリット式弾性片群とを備えるスプリット式弾性片群を配置した制水弁芯であって、
前記弁箱は、収容室と、前記収容室の上端に形成される縮径管口とを有し、
前記従動台座、前記可動弁片、前記固定弁片がこの順で上から下に重なるように前記収容室内に配置され、前記揺動シャフトは、横軸を介して前記連動台座に枢設され、前記揺動シャフトは、前記縮径管口の上方に位置して上向きに延伸突出する受動端と、前記従動台座と連動するための連動端とを含み、前記揺動シャフトは、前記横軸を支点として揺動経路を有し、前記連動台座は、前記縮径管口内に設けられ、かつ前記スプリット式弾性片群は、上弾性片と、下弾性片とを含み、前記上弾性片が前記揺動シャフトの構造の上に組み付けられて位置決めされることで、前記上弾性片を前記揺動シャフトの揺動に伴って同期揺動させるようにし、前記下弾性片が前記連動台座の構造の上に組み付けられて位置決めされることで、前記上弾性片と前記下弾性片同士を上下に対応して合致関係をなすようにし、かつ前記上弾性片には少なくとも１つの上アーチ形部が形成され、前記下弾性片には少なくとも１つの下アーチ形部が合致形成され、前記少なくとも１つの上アーチ形部は、前記揺動シャフトの揺動に伴って弧形変位経路を有し、かつ前記少なくとも１つの上アーチ形部は、前記弧形変位経路において前記少なくとも１つの下アーチ形部と所定の干渉値を有する弾性乗り越え動作が生じることを特徴とする、スプリット式弾性片群を配置した制水弁芯。
【請求項２】
前記上弾性片には、間隔をおいて対となって配置される２つの上アーチ形部が形成され、前記下弾性片には、間隔をおいて対となって配置される２つの下アーチ形部が合致形成され、かつ前記下弾性片は、前記２つの下アーチ形部を境界点として位置決め側と、移動可能側とに分けられ、前記位置決め側には嵌装孔が形成され、前記連動台座には前記嵌装孔に嵌合するための位置決め駒が合致形成され、従って前記位置決め側が固定され、前記移動可能側と前記連動台座との間は平面接触状態となり、前記２つの上アーチ形部と前記２つの下アーチ形部により前記弾性乗り越え動作が生じるとき、前記移動可能側には、力を受けて弾性変位動作を生じさせることを特徴とする、請求項１に記載のスプリット式弾性片群を配置した制水弁芯。
【請求項３】
各前記上アーチ形部は、両面折曲げ形態を呈して上係当面と、上背面とを含み、各前記下アーチ形部も、両面折曲げ形態を呈して下係当面と、下背面とを含むことを特徴とする、請求項１または請求項２に記載のスプリット式弾性片群を配置した制水弁芯。
【請求項４】
前記上弾性片は、間隔をおいて配置される２つの嵌着区間を含み、前記揺動シャフトの対応箇所には、２つの肩部と、制圧位置決め台座とが形成されることで、前記２つの嵌着区間を前記２つの肩部に当接させた後、再び前記制圧位置決め台座の組み付けを通じて前記２つの嵌着区間を前記上弾性片と一緒に挟持して安定な位置決め状態を現出させることを特徴とする、請求項１に記載のスプリット式弾性片群を配置した制水弁芯。
【請求項５】
前記連動台座は、前記縮径管口内に旋設されて力を受けて旋回動作状態を呈することを特徴とする、請求項１に記載のスプリット式弾性片群を配置した制水弁芯。
【考案の詳細な説明】
【技術分野】
【０００１】
本考案は、制水弁芯に係り、特に、スプリット式弾性片群を配置した斬新な制水弁芯の構造形態の開示に関するものである。
【背景技術】
【０００２】
従来の制水弁芯は、構造形態設計上、水道蛇口製品の特定機能の訴求（例えば、節水または火傷防止機能）に対処するために、その駆動シャフトの揺動または回転経路上には、弾性構成部品同士の間の強制的な相対乗り越えをするラッチ式機構設計により、水道蛇口のハンドルを人手で操縦する過程において、１個の所定の行程位置に引っかかる抵抗感が生じてしまい、従ってある機能の訴求を叶えることができる。
【０００３】
従来の制水弁芯のラッチ式機構設計としてよく見られるものは、弾性片と突止玉との互いに合致する形態、あるいは弾性片とプラスチック構造との互いに合致する形態を利用するものが含まれる。
【考案の概要】
【考案が解決しようとする課題】
【０００４】
その内、かかる弾性片と突止玉との互いに合致する形態について言えば、突止玉にバネを設置する必要があるため、比較的大きな径方向組み込み空間を必要とすることに起因して、小規格の弁芯製品に応用する際に、空間が不足して実施が困難となるという問題点が存在する。
次に、弾性片とプラスチック構造との互いに合致する形態について言えば、その問題点としては、少なくともプラスチックが摩耗変形し易くなって機能を失う点、そして、強制的に相対乗り越えをする時の操作感（音、抵抗力を含む）がやや弱まっており、効果が劣るに従って、水道蛇口製品の品質低下を招くという点が挙げられる。
【０００５】
本考案は、スプリット式弾性片群を配置した制水弁芯を提供することを主な目的とする。
【課題を解決するための手段】
【０００６】
前述の目的に基づいて、本考案の課題を解決するための技術的特長としては、主に前記制水弁芯は、弁箱と、固定弁片と、可動弁片と、従動台座と、揺動シャフトと、連動台座とを備え、その内、弁箱は、収容室と、収容室の上端に形成される縮径管口とを有し、前記従動台座、可動弁片、固定弁片がこの順で上から下に重なるように収容室内に配置され、揺動シャフトは、横軸を介して連動台座に枢設され、揺動シャフトは、受動端と、連動端とを含み、前記連動端は、従動台座と連動するために用いられ、受動端は、縮径管口の上方に位置して上向きに延伸突出し、揺動シャフトは、横軸を支点として揺動経路を有し、連動台座は、縮径管口内に設けられ、かつ制水弁芯は、スプリット式弾性片群をさらに備え、前記スプリット式弾性片群は、上弾性片と、下弾性片とを含み、上弾性片が揺動シャフトの構造上に組み付けられて位置決めされることで、上弾性片を揺動シャフトの揺動に伴って同期揺動させるようにし、下弾性片が連動台座の構造上に組み付けられて位置決めされることで、上弾性片と下弾性片同士を上下に対応して合致関係をなすようにし、かつ上弾性片には上アーチ形部が形成され、下弾性片には下アーチ形部が合致形成され、上アーチ形部は、揺動シャフトの揺動に伴って弧形変位経路を有し、かつ前記上アーチ形部は、弧形変位経路において下アーチ形部と所定の干渉値を有する弾性乗り越え動作が生じる。
【考案の効果】
【０００７】
本考案の主な効果と利点は、前記スプリット式弾性片群の設置により、弾性構成部品の組み立てに要する空間の大幅減縮化を図ることができ、及びより良い弾性乗り越え効果と操作感を得ることができ、かつ関連構成部品の耐久性をより向上させることができ、使用寿命を長く延ばすことができるなどの種々の実用性、進歩性及びより良い産業利用上の効果と利益をもたらすことができる。
【０００８】
本考案の他の目的は、さらに前記上弾性片には、間隔をおいて対となって配置される２つの上アーチ形部が形成され、下弾性片には、間隔をおいて対となって配置される２つの下アーチ形部が合致形成され、かつ下弾性片は、前記２つの下アーチ形部を境界点として位置決め側と、移動可能側とに分けられ、前記位置決め側には嵌装孔が形成され、連動台座には嵌装孔に嵌合するための位置決め駒が合致形成され、従って前記位置決め側が固定され、移動可能側と連動台座との間は平面接触状態となり、２つの上アーチ形部と２つの下アーチ形部により弾性乗り越え動作が生じるとき、移動可能側には、力を受けて弾性変位動作を生じさせる別の技術的特徴により、下アーチ形部が上アーチ形部からの押し付け作用力を受け入れるとき、移動可能側に生じる弾性変位動作を利用でき、従って下アーチ形部に生じる抵抗力を有効に低減させ、相対的に上アーチ形部の弾性乗り越え動作を円滑に完了させることに有用であるものを提供することにある。
【図面の簡単な説明】
【０００９】
【図１】本考案の好適な実施例の分解斜視図である。
【図２】本考案の好適な実施例の組合せ斜視図である。
【図３】図２の一部拡大図である。
【図４】本考案の好適な実施例の一部構成部品の分解斜視図である。
【図５】本考案の好適な実施例の組合せ断面図である。
【図６】本考案のスプリット式弾性片群の設置比率の好適な実施例を示す図である。
【図７】本考案の揺動シャフトの作動時、上、下アーチ形部により生じる弾性乗り越え動作の変化状態を示す概略図である。
【図８】本考案の揺動シャフトの作動時、上、下アーチ形部により生じる弾性乗り越え動作の変化状態を示す概略図である。
【図９】本考案の揺動シャフトの作動時、上、下アーチ形部により生じる弾性乗り越え動作の変化状態を示す概略図である。
【考案を実施するための形態】
【００１０】
図１〜図６を参照し、これらの図に示すのは、かかる制水弁芯（注：本例では、デュアル温度式制水弁芯を示す）は、弁箱１０と、固定弁片２０と、可動弁片３０と、従動台座４０と、揺動シャフト５０と、連動台座６０とを備え、その内、前記弁箱１０は、収容室１１と、前記収容室１１の上端に形成される縮径管口１２とを有し、前記従動台座４０、前記可動弁片３０、前記固定弁片２０がこの順で上から下に重なるように前記収容室１１内に配置され、前記揺動シャフト５０は、横軸５１を介して前記連動台座６０に枢設され、前記揺動シャフト５０は、受動端５２と、連動端５３とを含み、前記連動端５３は、前記従動台座４０と連動するために用いられ、前記受動端５２は、前記縮径管口１２の上方に位置して上向きに延伸突出し、前記揺動シャフト５０は、前記横軸５１を支点として揺動経路を有し、前記連動台座６０は、前記縮径管口１２内に設けられ、かつその内、前記制水弁芯は、スプリット式弾性片群７０をさらに備え、前記スプリット式弾性片群７０は、上弾性片７１と、下弾性片７２と（注：両者は金属片材を採用してもよいが、これに限定されるものではない）を含み、前記上弾性片７１が前記揺動シャフト５０の構造上に組み付けられて位置決めされることで、前記上弾性片７１を前記揺動シャフト５０の揺動に伴って同期揺動させるようにし、前記下弾性片７２が前記連動台座６０の構造上に組み付けられて位置決めされることで、前記上弾性片７１と前記下弾性片７２同士を上下に対応して合致関係をなすようにし、かつ前記上弾性片７１には少なくとも１つの上アーチ形部７３が形成され、前記下弾性片７２には少なくとも１つの下アーチ形部７４が合致形成され、前記少なくとも１つの上アーチ形部７３は、前記揺動シャフト５０の揺動に伴って弧形変位経路を有し、かつ前記少なくとも１つの上アーチ形部７３は、前記弧形変位経路において前記少なくとも１つの下アーチ形部７４と所定の干渉値を有する弾性乗り越え動作が生じる。（注：上記の固定弁片２０と可動弁片３０には、出水状態を調節するための配水ダクトが設けられ、ただこの部分は従来技術に属するものであり、本考案の保護範疇にも含まれないので、ここでの詳細な説明は省略することを明らかにしておく。）
【００１１】
上記の構造組立形態と技術的特徴によれば、本考案に開示されたスプリット式弾性片群を配置した制水弁芯は、その実際応用において、仮に節水機能の訴求（要請）を叶えるために、前記揺動シャフト５０の揺動角度に基づいて水道蛇口の出水量の多寡と開閉状態を決定するので、まず、図５及び図６に示すように、揺動シャフト５０は直角の角度で立ち上がった状態となり、この状態は出水閉鎖状態を表しており、かつこの時、上弾性片７１の上アーチ形部７３と下弾性片７２の下アーチ形部７４との間に間隔距離を有する。次に、図７に示すように、使用者が水道蛇口のハンドル（図面の図示を省略）を操作して揺動シャフト５０を傾斜角度に向けて変化させるように促すとき、出水量が相対的に増大することを表しており、所定の行程位置にまで到達するとき、上弾性片７１の上アーチ形部７３が下弾性片７２の下アーチ形部７４に当接する状態が形成され、この時、使用者の手部に抵抗感が生じてしまい、従って使用者が水道蛇口のハンドルを簡易円滑に最大の出水角度までひねることが回避されて節水の目的を達成することができる。また次に、図８〜図９に示すように、使用者が最大の出水量モードを使用すると確定したとき、揺動シャフト５０に対し比較的大きな押力を加えることが必要であり、このようにして上アーチ形部７３を下アーチ形部７４に相対して弾性乗り越え動作を生じさせ、この時、使用者は、前記弾性乗り越え動作により生じる摩擦振動を手部で感じることができると同時に、使用者は、摩擦振動により発生する音を聴き取ることもでき、このようにすると、使用者も、この時は既に水道蛇口の最大の出水量モード状態に達したことを明瞭に理解できる。
【００１２】
かかるスプリット式弾性片群７０を採用した本考案の優位性は、主として上アーチ形部７３が形成されている前記上弾性片７１、及び下アーチ形部７４が形成されている下弾性片７２から構成される形態特徴を利用して、弾性構成部品が上下に対応して設置される２個の弾性片素子に簡素化したため、これにより、弾性構成部品の組み立てに要する空間の大幅減縮化を図ることができ、最小規格の制水弁芯の構造上に応用しても問題がならず、かつ上アーチ形部７３と下アーチ形部７４により構成される弾性乗り越え動作は、２個の弾性パラメータを有するので、より良い弾性乗り越え効果と操作感（摩擦振動の力強さと音などを含む）を得ることができ、このほか、作動の摩耗が上アーチ形部７３と下アーチ形部７４とに分散されるので、関連構成部品の耐久性をより一層向上させることができるため、使用寿命をより長く延ばすことができる。
【００１３】
図１に示すように、本例において、前記上弾性片７１には、間隔をおいて対となって配置される２つの上アーチ形部７３が形成され、前記下弾性片７２には、間隔をおいて対となって配置される２つの下アーチ形部７４が合致形成され、かつ前記下弾性片７２は、前記２つの下アーチ形部７４を境界点として位置決め側７５と、移動可能側７６とに分けられ、前記位置決め側７５には嵌装孔７５０が形成され、前記連動台座６０には前記嵌装孔７５０に嵌合するための位置決め駒６１が合致形成され、従って前記位置決め側７５が固定され、前記移動可能側７６と前記連動台座６０との間は平面接触状態となり、前記２つの上アーチ形部７３と前記２つの下アーチ形部７４により弾性乗り越え動作が生じるとき、前記移動可能側７６には、力を受けて弾性変位動作を生じさせる（図８の矢印Ｌ２を参照）。本例において、開示されている下弾性片７２が移動可能側７６を有する形態特徴によれば、下アーチ形部７４が上アーチ形部７３からの押し付け作用力を受け入れるとき、移動可能側７６に生じる弾性変位動作を利用でき、従って下アーチ形部７４に生じる抵抗力を有効に低減させ、相対的に上アーチ形部７３の弾性乗り越え動作を円滑に完了させることに有用であるなどの利点がもたらされる。
【００１４】
図１及び図６に示すように、本例において、各前記上アーチ形部７３は、両面折曲げ形態を呈して上係当面７３１と、上背面７３２とを含み、各前記下アーチ形部７４も、両面折曲げ形態を呈して下係当面７４１と、下背面７４２とを含む。
【００１５】
図６に示すように、本例において、前記揺動シャフト５０には軸線Ｌ１が定義され、前記上係当面７３１は、前記軸線Ｌ１に対して３°〜６°の傾斜角（Ｘ１）を有し、前記上背面７３２と前記上係当面７３１との間には、５０°〜６０°の間の挟み角関係（Ｘ２）であり、前記下係当面７４１は、前記軸線Ｌ１に対して２５°〜３０°の傾斜角（Ｘ３）を有し、前記下係当面７４１と前記下背面７４２との間では、４５°〜５５°の間の挟み角関係（Ｘ４）である。本例に記述した構成部品の配置比率が定義付けられた実施形態は、主に説明のためのものであり、本例において、前記上係当面７３１と下係当面７４１とが互いに当接するとき、その両者の間の対面角度は、同じかまたは近接する関係であり、このため、前記上係当面７３１が下係当面７４１を弾性乗り越えようとするとき、相対的に比較的大きな抵抗力を有することによって、より良い弾性乗り越え（あるいは、ギヤ切り換えと称する）音及び摩擦振動の力強さが生じ、しかも前記上背面７３２の傾斜角が前記下背面７４２の傾斜角よりも大きい配置関係となり、使用者が揺動シャフト５０を逆方向に引き戻そうとするとき、抵抗力が相対的に比較的小さくなって力を加えることが容易に行える。
【００１６】
図４に示すように、本例において、前記上弾性片７１は、間隔をおいて配置される２つの嵌着区間７７を含み、前記揺動シャフト５０の対応箇所には、２つの肩部５４と、制圧位置決め台座５５とが形成されることで、前記２つの嵌着区間７７を前記２つの肩部５４に当接させた後、再び前記制圧位置決め台座５５の組み付けを通じて前記２つの嵌着区間７７を前記上弾性片７１と一緒に挟持して安定な位置決め状態を現出させる（図３を参照）。
【００１７】
図１及び図５に示すように、本例において、前記連動台座６０は、前記縮径管口１２内に旋設されて力を受けて旋回動作状態を呈する。本例では、デュアル温度式制水弁芯を例示するので、前記連動台座６０は、下方の従動台座４０を回転させるように促して水温を調節する目的を達成するためには、旋回機能を備えることが必須である。
【符号の説明】
【００１８】
１０：弁箱
１１：収容室
１２：縮径管口
２０：固定弁片
３０：可動弁片
４０：従動台座
５０：揺動シャフト
５１：横軸
５２：受動端
５３：連動端
５４：肩部
５５：制圧位置決め台座
６０：連動台座
６１：位置決め駒
７０：スプリット式弾性片群
７１：上弾性片
７２：下弾性片
７３：上アーチ形部
７３１：上係当面
７３２：上背面
７４：下アーチ形部
７４１：下係当面
７４２：下背面
７５：位置決め側
７５０：嵌装孔
７６：移動可能側
７７：嵌着区間
Ｌ１：軸線
【図１】
0003234343.tif 000003
【図２】
0003234343.tif 000004
【図３】
0003234343.tif 000005
【図４】
0003234343.tif 000006
【図５】
0003234343.tif 000007
【図６】
0003234343.tif 000008
【図７】
0003234343.tif 000009
【図８】
0003234343.tif 000010
【図９】
0003234343.tif 000011